(57)【要約】      （修正有）【課題】酸素障害を阻止し、紫外線硬化型塗膜表面を効率的に硬化させる不活性ガス雰囲気ＵＶ照射装置を提供する。【解決手段】筒状筐体２０１が逆梯形に形成され、底部内側の不活性ガス滞留部２０８に空気より重い不活性ガスを滞留させ、筒状筐体２０１の不活性ガス滞留部２０８の側面がＵＶ透過ガラスで構成され、不活性ガス滞留部２０８に複数のＵＶ照射装置を設け、エンドレスの搬送用レール２０４に装着されたハンガー２０７にワーク２０６を載置し不活性ガス滞留部２０８を通過するように構成し、複数のＵＶランプ２０５の照射方向を任意の方向に可動可能に構成し、複数のＵＶランプ２０５の照射線を反射する複数の反射板を不活性ガス滞留部２０８の内側に設け、且つ、筒状筐体２０１の不活性ガス滞留部２０８の天井部に冷媒が循環可能な冷却管２１５を複数配置し、筐体２０１内の不活性ガスの対流を抑え、一定温度を維持できるように構成した。【選択図】図３
2009226387.tif 000002
【特許請求の範囲】
【請求項１】
筒状筐体が逆梯形に形成され、底部内側の不活性ガス滞留部に空気より重い不活性ガスを滞留させたことを特徴とする不活性ガス雰囲気ＵＶ照射装置。
【請求項２】
筒状筐体の不活性ガス滞留部の側面が、ＵＶ透過ガラスで構成されていることを特徴とする請求項１記載の不活性ガス雰囲気ＵＶ照射装置。
【請求項３】
不活性ガス滞留部に複数のＵＶ照射装置を設けたことを特徴とする請求項１記載の不活性ガス雰囲気ＵＶ照射装置。
【請求項４】
エンドレスの搬送用レールに装着されたハンガーにワークを載置し、駆動装置を介して該ワークが不活性ガス滞留部を通過するように構成したことを特徴とする請求項１記載の不活性ガス雰囲気ＵＶ照射装置。
【請求項５】
複数のＵＶランプの照射方向を任意の方向に可動可能に構成したことを特徴とする請求項１記載の不活性ガス雰囲気ＵＶ照射装置。
【請求項６】
複数のＵＶランプの照射線を反射する複数の反射板を不活性ガス滞留部の内側に設けたことを特徴とする請求項１記載の不活性ガス雰囲気ＵＶ照射装置。
【請求項７】
筒状筐体の不活性ガス滞留部の天井部に冷媒が循環可能な冷却管を複数配置し、筐体内に充填された不活性ガスを冷却し、筐体内の不活性ガスの対流を抑え、一定温度を維持できるように構成したことを特徴とする請求項１記載の不活性ガス雰囲気ＵＶ照射装置。
【発明の詳細な説明】
【技術分野】
【０００１】    本発明は不活性ガス雰囲気ＵＶ照射装置に関し、特に酸素障害を阻止し、紫外線硬化型塗膜表面を効率的に硬化させる装置である。
【背景技術】
【０００２】  従来、コンベア等によりワークを移動させながら紫外線を照射するワーク表面のＵＶ塗膜硬化設備が利用されており、例えば、特開２００５−３４２５４９号公報「ＵＶ硬化型塗料のＵＶ硬化方法及び装置」や特開２００７−２４５１３５号公報「紫外線塗料硬化設備、塗料硬化方法」が公開されている。【０００３】
【特許文献１】特開２００５−３４２５４９号公報「ＵＶ硬化型塗料のＵＶ硬化方法及び装置」
【特許文献２】特開２００７−２４５１３５号公報「紫外線塗料硬化設備、塗料硬化方法」
【０００４】  前記の特開２００５−３４２５４９号公報「ＵＶ硬化型塗料のＵＶ硬化方法及び装置」においては、二階構造の筐体を設備し、ワークを搖動、反転、回転、前後動、左右動、上下動させる搬送機構を採用している。【０００５】      また、特開２００７−２４５１３５号公報「紫外線塗料硬化設備、塗料硬化方法」においては、窒素ガス等の空気より軽い不活性ガスを用いた処理槽内へフロアコンベアを介してワークを搬送するものである。
【発明の開示】
【発明が解決しようとする課題】
【０００６】  前記せるような特開２００５−３４２５４９号公報「ＵＶ硬化型塗料のＵＶ硬化方法及び装置」では、二階構造の筐体を要し、ワークを搖動、反転、回転、前後動、左右動、上下動させる複雑な搬送機構を要するものであり、また、前記せる特開２００７−２４５１３５号公報「紫外線塗料硬化設備、塗料硬化方法」においては、窒素ガス等の空気より軽い不活性ガスを用いた処理槽内へフロアコンベアを介してワークを搬送するものであるので、ワークの搬送中に不活性ガスが流出し易いものであった。
【課題を解決するための手段】
【０００７】  本発明は、前記せるような従来の課題を解決するために鋭意研究の結果、発明されたものであり、筒状筐体が逆梯形に形成され、底部内側の不活性ガス滞留部に空気より重い不活性ガスを滞留させたことを特徴とし、筒状筐体の不活性ガス滞留部の側面が、ＵＶ透過ガラスで構成されていることを特徴とし、不活性ガス滞留部に複数のＵＶ照射装置を設けたことを特徴とし、エンドレスの搬送用レールに装着されたハンガーにワークを載置し、駆動装置を介して該ワークが不活性ガス滞留部を通過するように構成し、複数のＵＶランプの照射方向を任意の方向に可動可能に構成したことを特徴とし、複数のＵＶランプの照射線を反射する複数の反射板を不活性ガス滞留部の内側に設けたことを特徴とし、且つ、筒状筐体の不活性ガス滞留部の天井部に冷媒が循環可能な冷却管を複数配置し、筐体内に充填された不活性ガスを冷却し、筐体内の不活性ガスの対流を抑え、一定温度を維持できるように構成したことを特徴とする不活性ガス雰囲気ＵＶ照射装置を提供する。
【発明の効果】
【０００８】  本発明は、以上説明したような構成であるので、特にＵＶ硬化型塗料を塗装した表面を満遍なく硬化させることのできる不活性ガス雰囲気ＵＶ照射装置である。
【発明を実施するための最良の形態】
【０００９】  以下、図面に基づいて、本発明を実施するための最良の形態を具体的に説明する。
図面に於いて、図１は本発明不活性ガス雰囲気ＵＶ照射装置を配置した装置配置室の配置全体平面図である。図２は図１に於ける不活性ガス雰囲気ＵＶ照射装置の部分拡大平面図である。図３は図２のＢ−Ｂ船断面図である。図４は図２のＡ−Ａ線断面図である。
【実施例】
【００１０】  以下、本発明の不活性ガス雰囲気ＵＶ照射装置２００の実施例図面に基づき、具体的に説明する。
本発明の最も重要な特徴は、筒状の筐体２０１が逆梯形に形成され、その底部内側の不活性ガス滞留部２０８に空気より重い不活性ガスを滞留させたことである。【００１１】  筒状の筐体２０１の不活性ガス滞留部２０８の側面は、ＵＶ透過ガラス２１２で構成されており、不活性ガス滞留部２０８の側面には複数のＵＶ照射装置２０２が設けられている。【００１２】  エンドレスの搬送用レール２０４に装着されたハンガー２０７にワーク２０６が載置され、駆動装置２１４を介して該ワーク２０６が不活性ガス滞留部２０８を通過するように構成されている。【００１３】  複数のＵＶ照射装置２０２内には、ＵＶランプ２０５がＵＶランプ支持装置２１３によって支持されており、該ＵＶランプ２０５の照射方向は任意の方向に可動可能に構成されている。【００１４】  また、複数のＵＶランプ２０５の照射線を反射する複数の反射板２１１が不活性ガス滞留部２０８の内側に設けられている。【００１５】  更に、筒状筐体２０１の不活性ガス滞留部２０８の天井部には、冷媒が循環可能な冷却管２１４が複数配置され、筐体２０１内に充填された不活性ガスを冷却し、筐体２０１内の不活性ガスの対流を抑え、一定温度を維持できるように構成されている。【００１６】  なお、実施例に示す筐体２０１の断面構造は長方形に表示されているが、筐体２０１の断面構造は長方形に限定されず、ＵＶ照射角度の自由度を上げて、ＵＶ照射強度を上げられるような筐体２０１の断面構造を多角形や○形に設計変更することは、本発明の技術内容に属するものである。【００１７】  以下、本発明の不活性ガス雰囲気ＵＶ照射装置２００の操作手順について説明する。
装置葉位置室１００の外側に設置したＣＯ２ボンベ（図示せず）のバルブを開いて、配管２０３より不活性ガス滞留部２０８へＣＯ２を供給する。【００１８】  制御盤１０３の操作によりＣＯ２供給ユニット（図示せず）を介して流量制御し、必要量のＣＯ２を不活性ガス滞留部２０８へ供給する。【００１９】  外周壁１０１の内側の塗装ブース１０２内にてワーク２０６にＵＶ硬化型塗料が塗布され、ワーク２０６はワーク載置部２０９を介してハンガー２０７に載置される。
余剰の気体はダクト１０４を経て外周壁１０１の外側へ排出される。【００２０】  外気は吸気部１０５，フィルター１０６、吸気ファン１０７を介して装置配置室１００内へ供給される。装置配置室１００の内部全体を冷却するための複数のクーラー１０８が外周壁１０１の内外に配置されている。（外周壁１０１の外側配置クーラーは図示せず）【００２１】  駆動装置２１４によって搬送用レール２０４を介して筒状の筐体２０１内を通過したワーク２０６がワーク取出部２１０より取り出されると、塗膜表面は硬化している。
【産業上の利用可能性】
【００２２】  本発明の不活性ガス雰囲気ＵＶ照射装置によれば、空気より重い不活性ガスを滞留させて、ワークを通過させながらＵＶ硬化型塗料を塗装した表面を満遍なく硬化させることができるので、産業上、優れた利用可能性を有している。
【図面の簡単な説明】
【００２３】
【図１】本発明不活性ガス雰囲気ＵＶ照射装置を配置した装置配置室の配置全体平面図である。
【図２】図１に於ける不活性ガス雰囲気ＵＶ照射装置の部分拡大平面図である。
【図３】図２のＢ−Ｂ船断面図である。
【図４】図２のＡ−Ａ線断面図である。
【符号の説明】
【００２４】１００．装置配置室
１０１．外周壁
１０２．塗装ブース
１０３．制御盤
１０４．ダクト
１０５．吸気部
１０６．フィルター
１０７．吸気ファン
１０８．クーラー
２００．不活性ガス雰囲気ＵＶ照射装置
２０１．筐体
２０２．ＵＶ照射装置
２０３．配管
２０４．搬送用レール
２０５．ＵＶランプ
２０６．ワーク
２０７．ハンガー
２０８．不活性ガス滞留部
２０９．ワーク載置部
２１０．ワーク取出部
２１１．反射板
２１２．ＵＶ透過ガラス
２１３．ＵＶランプ支持装置
２１４．駆動装置
２１５．冷却管
【図１】
2009226387.tif 000003
【図２】
2009226387.tif 000004
【図３】
2009226387.tif 000005
【図４】
2009226387.tif 000006